(57)【特許請求の範囲】
【請求項１】
遊技盤１の遊技領域４内に、大当り遊技の権利発生用特定球の選別確率を数値で表示した第１，第２，第３の始動口Ｅ1 ，Ｅ2 ，Ｅ3 と、該始動口Ｅ1 ，Ｅ2 ，Ｅ3 での入賞検出条件に基づいて開放された電動役物７から入賞した入賞球を各方向に振分け通出して１個の特定球を選別して検出し得るとともに、当該特定球を最終的に特定領域または非特定領域に区分排出し得る複合装置Ａと、該特定球の検出に基づいて権利発生成立を図柄表示判定する図柄表示装置Ｇと、権利発生成立後に遊技球を有効入賞球として入賞検出し得る第３種始動装置８と、設定個数の遊技球を入賞可能とした大入賞口装置９とが配置された遊技機において、
前記複合装置Ａは、前記遊技盤１の遊技領域４に上下縦向きの姿勢で取着される取付基板１６に、
前記電動役物７の可変入球口７ｂの出口下方に連通する分岐部２０から三方向に分岐連通された縦向き並列状態に配設されて、入賞球を夫々の方向に振分けて流通する中央、右側、左側の振分球経路Ｐ1 ，Ｐ2 ，Ｐ3 と、
前記中央、右側、左側振分球経路Ｐ1 ，Ｐ2 ，Ｐ3 の分岐部２０の左右両側で個々に傾動可能に配置された第１，第２可動振分片Ｆ1 ，Ｆ2 を、前記第１，第２，第３始動口Ｅ1 ，Ｅ2 ，Ｅ3 での各入賞検出条件に対応して各々の振分球経路Ｐ1 ，Ｐ2 ，Ｐ3 の入口を開閉状態に切替えて前記入賞球を振分けて通入させる第１振分装置Ｄ1 と、
前記右側の振分球経路Ｐ2 の途上と左側の振分球経路Ｐ3 の途上に各々開口形成されて入賞球を裏側へ通出する球排出口３０，３１と、
前記右側の振分球経路Ｐ2 の途上と前記左側の振分球経路Ｐ3 の途上に各々組み込んでモータにより一方向に回転可能に設定した回転振分体２８，２９の外周に、前記各々の球排出口３０，３１に対して個々に連通する複数個の普通球受部２８ｂ，２９ｂと、連通しない１個の特定球受部２８ａ，２９ａとを、前記第２始動口Ｅ2 と第３始動口Ｅ3 に表示された前記権利発生用特定球の選別確率の数値表示に合わせた個数分で配置して、当該振分球経路Ｐ2 ，Ｐ3 内を通入する入賞球を特定球と普通球とに異なる確率で区分する第２振分装置Ｄ2 と、
前記中央、右側、左側の振分球経路Ｐ1 ，Ｐ2 ，Ｐ3 の下流端に集合連絡された出口部３４に配置されて前記特定球の検出に基づいて前記図柄表示装置Ｇを図柄変動開始させるための検出スイッチＳ2 と、
前記検出スイッチＳ2 の直下方に臨む基準位置に配置されて該検出スイッチＳ2 で検出通出された前記特定球を外周に形成した球受部３５ａ内に一旦保留し、前記図柄表示装置Ｇによる「当り・外れ」の図柄表示判定結果に対応してモータ３８により反時計回り・時計回りの何れかに回転制御されて、特定球を権利発生用の検出スイッチＳ3 を有する特定領域３６と非特定領域３７との何れかに区分通出する回転誘導体３５と、
が備えられており、
第１始動口Ｅ1 での入賞検出条件においては、電動役物７の可変入球口７ｂから入った入賞球は第１振分装置Ｄ1 の両可動振分片Ｆ1 ，Ｆ2 の開放条件に係る振分け作動により中央の振分球経路Ｐ1 に特定球として通入させて図柄変動開始用の検出スイッチＳ2 で検出して回転誘導体３５に直接誘導され、
第２始動口Ｅ2 での入賞検出条件においては、電動役物７の可変入球口７ｂから入った入賞球は第１振分装置Ｄ1 の右可動振分片Ｆ1 の開放条件に係る振分け作動により右側の振分球経路Ｐ2 に通入させて第２振分装置Ｄ2 の右回転振分体２８のいずれかの球受部２８ａ，２８ｂに受入れて球排出口３０に通出される普通球と、該振分球経路Ｐ2 の下流傾斜路３２から出口部３４に通出される特定球とに区分され、検出スイッチＳ2 で検出された特定球が回転誘導体３５に誘導され、
第３始動口Ｅ3 での入賞検出条件においては、電動役物７の可変入球口７ｂから入った入賞球は第１振分装置Ｄ1 の左可動振分片Ｆ1 の開放条件に係る振分けの作動により左側の振分球経路Ｐ2 に通入させて第２振分装置Ｄ2 の左回転振分体２９のいずれかの球受部２９ａ，２９ｂに受入れて球排出口３１に通出される普通球と、該振分球経路Ｐ2 の下流傾斜路３３から出口部３４に通出される特定球とに区分され、検出スイッチＳ2 で検出された特定球は回転誘導体３５に誘導され、
上記した３つの球振分けの態様において、前記図柄表示装置Ｇの図柄「当り・外れ」判定に基づく回転誘導体３の正転・逆転の回転条件により、特定球が特定領域３６または非特定領域３７に区分通出されるように設定したことを特徴とする遊技機。
【発明の詳細な説明】
【０００１】
【発明の属する技術分野】
本発明は、可変入球口と、振分装置を有する複合装置と、球が入るとこれを検出して前記可変入球口を拡開する始動口とが遊技盤面に配置された遊技機に関するものである。
【０００２】
【従来の技術】
例えば、図柄表示装置で変動表示した図柄が所定の図柄で停止すると、「当り」となって権利が発生し、盤面に設けられた大入賞口用の始動口に球が入賞する毎に所定時間、或いは所定個数入賞まで大入賞口が拡開する遊技機がある。その中に、図柄表示装置の図柄を変動させる契機として、盤面に配置された複合装置内に振分装置を配設し、前記複合装置に入った球を振り分け、球が所定の振分球経路に振り分けられた場合に、検出スイッチが球を検出して、図柄表示装置の図柄を変動開始させる遊技機がある。
【０００３】
ここで、前記複合装置への入球は、盤面に設けられた複合装置用の始動口（大入賞口用の前記始動口とは異なるもの）に盤面の球が入賞することによって、複合装置の可変入球口が開いて、ここから入球するものである。
【０００４】
このような遊技機では、複合装置内の振分装置が球を図柄を変動させる球経路とそうでない球経路のいずれに振り分けるかの点と、図柄変動結果が当りか否かの点とに遊技者の関心が注がれる。
【０００５】
しかし、従来の遊技機においては、複合装置用の始動口は、盤面の球が入ることにより複合装置の可変入球口を拡開させるのみであり、これ以外においては、複合装置との関連性はなかった。
【０００６】
【発明が解決しようとする課題】
本発明は、始動口に複合装置の可変入球口を開く以外の機能を付加して、遊技の興趣を高めることを課題としている。
【０００７】
【課題を解決するための手段】
上記の課題を解決するために請求項１に記載の発明は、遊技盤の遊技領域内に、大当り遊技の権利発生用特定球の選別確率を数値で表示した第１，第２，第３の始動口と、該始動口での入賞検出条件に基づいて開放された電動役物から入賞した入賞球を各方向に振分け通出して１個の特定球を選別して検出し得るとともに、当該特定球を最終的に特定領域または非特定領域に区分排出し得る複合装置と、該特定球の検出に基づいて権利発生成立を図柄表示判定する図柄表示装置と、権利発生成立後に遊技球を有効入賞球として入賞検出し得る第３種始動装置と、設定個数の遊技球を入賞可能とした大入賞口装置とが配置された遊技機において、前記複合装置は、前記遊技盤の遊技領域に上下縦向きの姿勢で取着される取付基板に、前記電動役物の可変入球口の出口下方に連通する分岐部から三方向に分岐連通された縦向き並列状態に配設されて、入賞球を夫々の方向に振分けて流通する中央、右側、左側の振分球経路と、前記中央、右側、左側振分球経路の分岐部の左右両側で個々に傾動可能に配置された第１，第２可動振分片を、前記第１，第２，第３始動口での各入賞検出条件に対応して各々の振分球経路の入口を開閉状態に切替えて前記入賞球を振分けて通入させる第１振分装置と、前記右側の振分球経路の途上と左側の振分球経路の途上に各々開口形成されて入賞球を裏側へ通出する球排出口と、前記右側の振分球経路の途上と前記左側の振分球経路の途上に各々組み込んでモータにより一方向に回転可能に設定した回転振分体の外周に、前記各々の球排出口に対して個々に連通する複数個の普通球受部と、連通しない１個の特定球受部とを、前記第２始動口と第３始動口に表示された前記権利発生用特定球の選別確率の数値表示に合わせた個数分で配置して、当該振分球経路内を通入する入賞球を特定球と普通球とに異なる確率で区分する第２振分装置と、前記中央、右側、左側の振分球経路の下流端に集合連絡された出口部に配置されて前記特定球の検出に基づいて前記図柄表示装置を図柄変動開始させるための検出スイッチと、前記検出スイッチの直下方に臨む基準位置に配置されて該検出スイッチで検出通出された前記特定球を外周に形成した球受部内に一旦保留し、前記図柄表示装置による「当り・外れ」の図柄表示判定結果に対応してモータにより反時計回り・時計回りの何れかに回転制御されて、特定球を権利発生用の検出スイッチを有する特定領域と非特定領域との何れかに区分通出する回転誘導体とが備えられており、第１始動口での入賞検出条件においては、電動役物の可変入球口から入った入賞球は第１振分装置の両可動振分片の開放条件に係る振分け作動により中央の振分球経路に特定球として通入させて図柄変動開始用の検出スイッチで検出して回転誘導体に直接誘導され、第２始動口での入賞検出条件においては、電動役物の可変入球口から入った入賞球は第１振分装置の右可動振分片の開放条件に係る振分け作動により右側の振分球経路に通入させて第２振分装置の右回転振分体のいずれかの球受部に受入れて球排出口に通出される普通球と、該振分球経路の下流傾斜路から出口部に通出される特定球とに区分され、検出スイッチで検出された特定球が回転誘導体に誘導され、第３始動口での入賞検出条件においては、電動役物の可変入球口から入った入賞球は第１振分装置の左可動振分片の開放条件に係る振分けの作動により左側の振分球経路に通入させて第２振分装置の左回転振分体のいずれかの球受部に受入れて球排出口に通出される普通球と、該振分球経路の下流傾斜路から出口部に通出される特定球とに区分され、検出スイッチで検出された特定球は回転誘導体に誘導され、上記した３つの球振分けの態様において、前記図柄表示装置の図柄「当り・外れ」判定に基づく回転誘導体の正転・逆転の回転条件により、特定球が特定領域または非特定領域に区分通出されるように設定したことを特徴としている。
【０００８】
請求項１の発明によれば、球が複数の始動口のいずれに入るかによって、他の球の複合装置の可変入球口への入球が容易となって振分装置に至るのみならず、この振分装置内における複数の振分球経路のうち球が入った始動口に対応したものが選択される。このため、始動口入球による遊技性が高まって、複合装置への入球のみならず、始動口入球に始まって、複合装置入球、振分球経路の選択、振分結果に至るまでの間において期待感が連続して維持される。よって、遊技の興趣が高まる。
【０００９】
【００１０】
【００１１】
【００１２】
また、複合装置に二種類の振分装置が設けられているために、最初の振分装置によりいずれの振分球経路に振り分けられるかの期待感に加えて、更に次の振分装置においてもいずれの振分球経路に振り分けられるかの期待感が連続して、遊技の興趣が更に高められる。
【００１３】
【発明の実施の形態】
以下、実施形態を挙げて、本発明を更に詳細に説明する。図１は、本発明に係るパチンコ機の正面図であり、図２は、図１のＸ−Ｘ線拡大断面図である。図１及び図２において、遊技盤１には、外側の第１球案内レール２と内側の第２球案内レール３とが取り付けられて、第１及び第２の各案内レール２，３によって囲まれる領域が遊技領域４となっている。第１及び第２の各球案内レール２，３が内外で重なって球発射通路５を形成しており、球発射装置（図示せず）から発射された遊技球は、前記球発射通路５を通って、前記遊技領域４に放たれる。遊技領域４には多数の釘が適宜に配置され、遊技領域４に放たれた球Ｂはこれらの釘により流れを変化し、また所定方向に誘導されながら遊技領域４の下方に向かって流れる。
【００１４】
遊技領域４の中央部には、第１及び第２の各振分装置Ｄ1,Ｄ2 を備えた複合装置Ａが配置され、該複合装置Ａの下方には、第１、第２及び第３の各始動口Ｅ1,Ｅ2,Ｅ3 が横方向に並んで配置されている。第１始動口Ｅ1 は、前記複合装置Ａの直下に配置され、その両側に第２及び第３の各始動口Ｅ2,Ｅ3 が配置されている。また、第１始動口Ｅ1 の上には散点状の釘群Ｃ1 が隣合う釘間に球１個が通過可能な程度に打設されている。また、第２始動口Ｅ2 の上には、該第２始動口Ｅ2 に向かう球流下路を形成するように左右一対の誘導釘Ｃ2 が、第３始動口Ｅ3 の上にも同様の誘導釘Ｃ3 が打設されている。このような配置により、盤面を流下する球Ｂは、球の流下頻度が比較的高い遊技領域４の左側に位置し誘導釘Ｃ3 で球が誘導される第３始動口Ｅ3 に最も入賞し易く、次に左側より球の流下頻度が低い遊技領域４の右側に位置するが誘導釘Ｃ2 で球が誘導される第２始動口Ｅ2 、次いで散点状の釘群Ｃ1 が上に配置され球が左右に流れ易い第１始動口Ｅ1 の順で入賞し難くなっている。
【００１５】
３種類の各始動口Ｅ1,Ｅ2,Ｅ3 は、そのいずれかに盤面の球Ｂが入賞することにより、前記複合装置Ａの上部に配置された普通電動役物７の一対の開閉部材７ａを開放して、その可変入球口７ｂへの入球を容易にする。また後述のように可変入球口７ｂの下方に配置された第１振分装置Ｄ1 の第１可動振分片Ｆ1 及び第２可動振分片Ｆ2 を作動させて、可変入球口７ｂから入った球Ｂを三種類の振分球経路Ｐ1,Ｐ2,Ｐ3 （図６参照）のいずれかに誘導するようになっている。すなわち「１／１」と表示されている第１始動口Ｅ1 に入賞した場合には、記可変入球口７ｂに入った球Ｂは、三種類の振分球経路Ｐ1,Ｐ2,Ｐ3 のうち遊技者にとって最も有利な第１振分球経路Ｐ1 に誘導される。また、「１／３」と表示された第２始動口Ｅ2 に入賞した場合には、前記可変入球口７ｂに入った球Ｂは、遊技者にとって次に有利な第２振分球経路Ｐ2 に誘導され、更に「１／５」と表示された第３始動口Ｅ3 に入賞した場合には、前記可変入球口７ｂに入った球Ｂは、遊技者にとって最も有利性の低い第３振分球経路Ｐ3 に誘導される。
【００１６】
また、遊技領域４の複合装置Ａの左側方には図柄表示装置Ｇが配置され、右側方には第３種始動装置８及び大入賞口装置９とが相上下して配置されている。前記図柄表示装置Ｇは、液晶表示画面を三つの表示域に分割してそれぞれ図柄を変動表示する表示部１４を備え、後述する出口部３４を通過した球Ｂが第２スイッチＳ2 で検出され、その検出信号が図示しない主制御装置に伝達されることによってその表示部１４に図柄が変動表示されるようになっている。
【００１７】
第３種始動装置８は、遊技盤１の前面に取付部をビス等によって取り付けられ、その取付部から前方に突出した略Ｃ字状の周壁部８ａを備え、該周壁部８ａの右側に設けられた開口が第３種始動口８ｂを構成する。第３種始動口８ｂの右方には誘導釘Ｃ4 が打設され、該誘導釘Ｃ4 上にのった盤面の球Ｂが主に第３種始動口８ｂに流入する。
【００１８】
大入賞口装置９は大入賞口９ｂとその大入賞口９ｂを開閉する開閉扉９ａを備え、後述のように複合装置Ａの特定領域３６に球が誘導され権利が発生すると、第３種始動口８ｂへの入球を条件に開閉扉９ａが所定期間開放するようになっている。また、開閉扉９ａの直下には大入賞口９ｂへの入賞球数を表示するカウント表示器１１が設けられている。
【００１９】
さらに、遊技領域４には、第１始動口Ｅ1 の下方の遊技領域４の最下端に位置してアウト口１２が形成され、遊技領域４の左側端には遊技状態に応じて点滅する装飾ランプ１３が配置されている。
【００２０】
次に、複合装置Ａについて説明する。複合装置Ａはその前面側の外周に延出した取付基板１６が遊技盤１の前面に適数位置でビス留めされて遊技領域４のほぼ中央に配設されている。その前面側の外周には更にほぼ全周にわたって取付基板１６の前方に突出する周壁部１７が形成され、遊技領域４を流下する球Ｂは該周壁部１７で遮られて複合装置Ａの中に入らないように構成されている。それゆえ、遊技領域４の球Ｂは複合装置Ａの上部に設けられた普通電動役物７の可変入球口７ｂからのみ複合装置Ａの中に入ることができる。この普通電動役物７は、ソレノイド２１のロッド２２の前後直線運動がレバー２３の回動運動に変換されて、その係合部２３ａの上下動によって一対の開閉部材７ａが開閉する構造である。また、普通電動役物７には、球Ｂの通過を検出する第１スイッチＳ1 が設けられている。
【００２１】
また、図２ないし図６において、第１振分装置Ｄ1 は、可変入球口７ｂに入った球Ｂを第１、第２及び第３の各振分球経路Ｐ1,Ｐ2,Ｐ3 のいずれか一つを選択して、振り分けるものであって、三つの各振分球経路Ｐ1,Ｐ2,Ｐ3 の分岐部２０に、第１及び第２の各可動振分片Ｆ1,Ｆ2 が配置されている。即ち、第１可動振分片Ｆ1 は、第１及び第２の各振分球経路Ｐ1,Ｐ2 の二つの入口部のいずれか一方を開放させると共に、その他方を閉鎖させるものであり、第２可動振分片Ｆ2 は、第１及び第３の各振分球経路Ｐ1,Ｐ3 の二つの入口部のいずれか一方を開放させると共に、その他方を閉鎖させるものである。そして、第１及び第２の各可動振分片Ｆ1,Ｆ2 は、これに連結された各回動軸２４、２５が遊技盤１を貫通して、その背面側に達していて、それぞれ個別のソレノイド２６、２７により回動される構成になっている。これら各可動振分片Ｆ1,Ｆ2 及びソレノイド２６、２７が第１振分装置Ｄ1 を構成し、本発明の振分装置に相当する。
【００２２】
そして、図３に示すように、盤面の球Ｂが第１始動口Ｅ1 に入賞することにより、第１及び第２の各可動振分片Ｆ1,Ｆ2 がいずれも起立姿勢となって、第２及び第３の各振分球経路Ｐ2,Ｐ3 の入口部が閉塞されて、可変入球口７ｂに入った球Ｂは、そのまま直下の第１振分球経路Ｐ1 を通過することになる。また、図４に示すように、盤面の球Ｂが第２始動口Ｅ2 に入賞することにより、第１可動振分片Ｆ1 が第１振分球経路Ｐ1 の入口部の側に倒れて、該入口部が閉塞されると共に、可変入球口７ｂに入った球Ｂは、傾斜姿勢の第１可動振分片Ｆ1 に当った後に右方に方向変換して、第２振分球経路Ｐ2 を通過する。更に、図５に示すように、盤面の球Ｂが第３始動口Ｅ3 に入賞することにより、第２可動振分片Ｆ2 が第１振分球経路Ｐ1 の入口部の側に倒れて、該入口部が閉塞されると共に、第１可動振分片Ｆ1 が起立して、第２振分球経路Ｐ2 の入口部が閉塞されて、可変入球口７ｂに入った球Ｂは、傾斜姿勢の第２可動振分片Ｆ2 に当った後に左方に方向変換して、第３振分球経路Ｐ3 を通過する。
【００２３】
第２及び第３の各振分球経路Ｐ2,Ｐ3 の中間位置には、それぞれ図示しないモータで回転する回転振分体２８，２９が配置される。これら回転振分体２８、２９及びモータが第２振分装置Ｄ2 を構成し、請求項３に係る発明の「別の振分装置」に相当する。各回転振分体２８，２９には、それぞれ３つ及び５つの球受部２８a(２８ｂ),２９ａ（２９ｂ）が周方向に等間隔をおいて設けられ、そのうちの１つの特定球受部２８ａ（２９ａ）のみは、他の球受部である普通球受部２８ｂ（２９ｂ）よりも深くなっている。
【００２４】
これらの回転振分体２８，２９はパチンコ機の電源投入と共に回転を開始し、回転振分体２８は時計方向に、回転振分体２９は反時計方向に定速で連続して回転する。そして、可変入球口７ｂを経て第２及び第３の各振分球経路Ｐ2,Ｐ3 の球入口から入った球は、各回転振分体２８，２９の上死点位置でその外周面上に一時保留された後、その後最初に上死点位置に達した特定球受部２８ａ（２９ａ）あるいは普通球受部２８ｂ（２９ｂ）に落入して受け入れられる。そして、特定球受部２８ａ（２９ａ）あるいは普通球受部２８ｂ（２９ｂ）の回転移動と共に回転移送される。
【００２５】
回転振分体２８，２９の後面であって普通球受部２８ｂ（２９ｂ）に受け入れられた球Ｂの円弧を描く回転移送経路の途中には、球Ｂが通過可能な球排出口３０，３１が形成されている。また、普通球受部２８ｂ（２９ｂ）はその壁部に受け入れた球が後方に転動するように僅かに傾斜が形成されており、それゆえ普通球受部２８ｂ（２９ｂ）で回転移送される球Ｂは、その移送途中において球排出口３０，３１と合致して、該球排出口３０，３１から遊技盤を貫通する誘導樋を経由して遊技盤１の裏側に排出される。一方、普通球受部２８ｂ（２９ｂ）より深く形成されている特定球受部２８ａ（２９ａ）に受け入れられた球Ｂは、その回転移送途中において球排出口３０，３１と合致しないため排出されず回転移動を継続する。そして、回転振分体２８，２９の下死点位置にて特定球受部２８ａ（２９ａ）から放出され、下流傾斜路３２，３３を中央側に転動して出口部３４に到達する。
【００２６】
以上のように、第１振分装置Ｄ1 を構成する第１及び第２の各可動振分片Ｆ1,Ｆ2 で振り分けられた球Ｂのうち振分球経路Ｐ2,Ｐ3 に振り分けられた球Ｂは、第２振分装置Ｄ2 を構成する回転振分体２８，２９によって更に振り分けられる。このため、第１、第２及び第３の各振分球経路Ｐ1,Ｐ2,Ｐ3 を通過する球Ｂは、それぞれ「１／１」、「１／３」及び「１／５」の確率でもって、複合装置Ａの出口部３４に達して、次に述べるように回転誘導体３５の球受部３５ａに受け入れられる。よって、各振分球経路Ｐ1,Ｐ2,Ｐ3 を球Ｂが通過することによる遊技者の利益の順位は、第１、第２及び第３の各振分球経路Ｐ1,Ｐ2,Ｐ3 の順番となる。
【００２７】
第１、第２及び第３の各振分球経路Ｐ1,Ｐ2,Ｐ3 は、その出口部３４で合流していて、該出口部３４には、球Ｂの通過を検出して前記図柄表示装置Ｇを作動させる第２検出スイッチＳ2 が設けられている。また、各振分球経路Ｐ1,Ｐ2,Ｐ3 の出口部３４の直下には、回転誘導体３５が配置されている。この回転誘導体３５は、遊技盤１の裏側に位置するモータ３８に連結された回転軸４０の先端に取り付けられ、モータ３８により正逆回転される。また、前記回転誘導体３５には、一つの球Ｂを受け入れる球受部３５ａが設けられ、該回転誘導体３５は通常時において球受部３５ａを上にして静止している。なお、図２において、３９は、遊技盤１の前面に配置されたガラス板を示す。
【００２８】
出口部３４に達した球Ｂは、該出口部３４から落下し、第２検出スイッチＳ2 を通過してそのまま球受部３５ａに受け入れられ一時的に保持される。また、第２検出スイッチＳ2 が通過する球Ｂを検出すると前述のように検出信号が図示しない主制御装置に伝達されて図柄表示装置Ｇの表示部１４の三つの表示域でそれぞれ図柄の変動表示を開始する。
【００２９】
回転誘導体３５の直下には権利発生口としての特定領域３６が設けられ、右下位置には非特定領域３７が設けられている。また、回転誘導体３５と特定領域３６との間には、特定領域３６に誘導される球Ｂを検出する第３検出スイッチＳ3 が配置されている。回転誘導体３５は、変動を開始した表示部１４の図柄が所定時間経過後に変動停止し表示する図柄の表示態様と相応し、主制御装置から発せられる制御信号に応じて、時計方向あるいは反時計方向に回転する。そして、回転誘導体３５に一時的に保持された球Ｂを所定角度回転した後に放出し、特定領域３６あるいは非特定領域３７のいずれか一方に導く。即ち、回転誘導体３５の球受部３５ａに球Ｂが保持された状態（図３参照）から、反時計方向に１８０°回転し球受部３５ａ内の球Ｂを放出し、第３検出スイッチＳ3 を通過した後に特定領域３６に導く。また、時計方向にほぼ９０°回転すると、球受部３５ａ内の球Ｂを放出して非特定領域３７に導く（図５参照）こととなる。
【００３０】
この実施形態に係る遊技機としてのパチンコ機は上述したように構成される。従って、パチンコ遊技の際、図示しない球発射装置から球発射通路５に発射された球Ｂは、遊技領域４の上部に打ち出され、多数の釘等に当って遊技領域４の下部に向けて流れる。
【００３１】
遊技領域４に打ち出された球Ｂのうち、一部の球Ｂは第１、第２、第３の各始動口Ｅ1,Ｅ2,Ｅ3 等の入賞口に流入する。また、入賞口に流入しなかった球Ｂは遊技領域４の下部のアウト口１２に流入し、機外に排出される。
【００３２】
第１、第２、第３の各始動口Ｅ1,Ｅ2,Ｅ3 に球Ｂが流入すると、その球Ｂが球検出器（図示しない）によって検出され、その検出信号が主制御装置に伝達される。これに基づいて主制御装置から出力される信号が普通電動役物７に伝達され、これによって、一対の開閉部材７ａが所定時間（例えば、０．５秒）開放された後、元の状態に閉じられる。開閉部材７ａの開放時には、その可変入球口７ｂに球Ｂが流入し易くなり、盤面を流れる他の球Ｂが可変入球口７ｂに入る場合がある。
【００３３】
第１、第２及び第３の各始動口Ｅ1,Ｅ2,Ｅ3 に球Ｂが流入すると、主制御装置は同時に、流入した始動口に応じて第１振分装置Ｄ1 にも信号を出力し、開閉部材７ａが開放されている間、第１及び第２の各可動振分片Ｆ1,Ｆ2 が可動する。即ち、第１始動口Ｅ1 に球Ｂが流入した場合は主制御装置からの信号は出力されず、第１及び第２の各可動振分片Ｆ1,Ｆ2 は起立姿勢を維持し、第２始動口Ｅ2 に球Ｂが流入した場合は第１可動振分片Ｆ1 が第１振分球経路Ｐ1 の入口部の側に倒れて傾斜姿勢になり、第３始動口Ｅ3 に球Ｂが流入した場合は第２可動振分片Ｆ2 が第１振分球経路Ｐ1 の入口部の側に倒れて傾斜姿勢になる。その結果、開閉部材７ａが開放されている間に可変入球口７ｂに入った球Ｂは、第１始動口Ｅ1 へ流入した場合は第１振分球経路Ｐ1 へ、第２始動口Ｅ2 へ流入した場合は第２振分球経路Ｐ2 へ、第３始動口Ｅ3 へ流入した場合は第３振分球経路Ｐ3 へ誘導される。
【００３４】
第１振分球経路Ｐ1 を流入した球Ｂはそのまま直下に落下し出口部３４に達する。一方、第２振分球経路Ｐ2 に誘導された球Ｂは回転振分体２８で振り分けられ、１つ設けられた特定球受部２８ａに受け入れられた場合は出口部３４に達するが、２つ設けられた普通球受部２８ｂのいずれかに受け入れられた場合は回転移送途中で球排出口３０から排出される。即ち、１／３の確率でしか出口部３４に達しない。また、第３振分球経路Ｐ3 に誘導された球Ｂも回転振分体２９により同様の振分けがなされるが、回転振分体２９は１つの特定球受部２９ａに対し４つの普通球受部２９ｂが設けられているので第２振分球経路Ｐ2 よりも不利な１／５の確率でしか出口部３４に達しない。なお、普通球受部２９ｂに受け入れられた球Ｂは回転移送途中で球排出口３０から排出される。
【００３５】
出口部３４に達した球Ｂはそのまま落下し、第２検出スイッチＳ2 を通過して検出され、回転誘導体３５の球受部３５ａに保持される。一方、第２検出スイッチＳ2 により球Ｂが検出されると図柄表示装置Ｇの表示部１４の図柄が変動を開始する。そして、設定時間経過すると変動を停止し、主制御装置から出力される信号に基づく図柄が表示部１４に表示される。図柄が「大当り図柄」、例えば「１・１・１」，「３・３・３」，「５・５・５」，「７・７・７」などの「ぞろ目」となって停止した場合は、回転誘導体３５は図４に示すように反時計方向に１８０°回転し、球受部３５ａを下にして球Ｂを放出しそのまま回転を続け元の球受部３５ａを上にした位置に戻されて停止する。放出された球Ｂは特定領域３６に流れ、その特定領域３６の第３検出スイッチＳ3 によって球Ｂが検出されることで大当りが確定し、いわゆる「大当り遊技」の権利が発生する。
【００３６】
また、図柄が、前記「大当り図柄」以外の「外れ図柄」となって停止した場合は、回転誘導体３５は図５に示すように時計方向にほぼ９０°回転し、球受部３５ａを右斜め下にして球Ｂを放出した後そのまま回転を続け元の球受部３５ａを上にした位置に戻されて停止する。放出された球Ｂは非特定領域３７に流れ、非特定領域３７から球誘導路を通り遊技盤の裏側に排出され、図示しない検出スイッチで検出されて外れが確定する。
【００３７】
前記大当りが確定していわゆる権利が発生した状態で、遊技領域４を流れる球Ｂが第３種始動装置８の第３種始動口８ｂに流入すると、これが図示しない検出スイッチで検出されその検出信号が主制御装置に伝達される。これに基づいて主制御装置から大入賞口装置９に信号が出力されると、開閉扉９ａが開放されて大入賞口９ｂが開かれる。大入賞口９ｂに球Ｂが最大で１０個流入するか、あるいは、１０秒経過すると、開閉扉９ａによって大入賞口９ｂが閉じられ、ここで大当り遊技の１ラウンドが終了する。開閉扉９ａによって大入賞口９ｂが一旦閉じられた後、再び、遊技領域４を流れる球Ｂが第３種始動口８ｂに流入すると、開閉扉９ａが再び開放されて大入賞口９ｂが開かれる。このように大当り遊技が最大で１６ラウンド行われて大当り遊技が終了する。
【００３８】
以上に述べたように、この実施形態に係る遊技機としてのパチンコ機では、横方向に一列状に配置された三種類の始動口Ｅ1,Ｅ2,Ｅ3 のうち、中央に配置された第１始動口Ｅ1 に対する入賞が最も困難であるが、第１始動口Ｅ1 に対する入賞により、可変入球口７ｂに入った盤面の球Ｂは、遊技者に最も利益がある第１振分球経路Ｐ1 を通過する。また、その両側に配置された第２及び第３の各始動口Ｅ2,Ｅ3 に対する入賞の困難性（入賞難易度）はこの順序で低下し、これらの始動口に対する入賞の困難性の低下に相応して、第１振分装置Ｄ1 により遊技者に対する利益が少なくなる振分球経路が選択される。
【００３９】
よって、図６のブロック線図に示されるように、盤面の球Ｂが遊技盤１に配置された三種類の始動口Ｅ1,Ｅ2,Ｅ3 のいずれに入賞するかによって、可変入球口７ｂから入った球Ｂが第１振分装置Ｄ1 により振り分けられる遊技者に対する利益度合の異なる各振分球経路Ｐ1,Ｐ2,Ｐ3 のいずれか一つが選択決定される。また、振分球経路Ｐ2,Ｐ3 に入った球Ｂは第２振分装置Ｄ2 を構成する回転振分体２８または２９により更に振り分けられる。そして、最終的に出口部３４に達した球Ｂのみが第２検出スイッチＳ2 で検出されて、図柄表示装置Ｇの表示部１４の図柄の変動を開始させる。次いで第３検出スイッチＳ3 を通過した球Ｂはそのまま回転誘導体３５に保持され、図柄の変動が停止し大当りになった場合は回転誘導体３５により特定領域３６に導かれ、外れになった場合は非特定領域３７に導かれる。
【００４０】
このような構成ゆえ遊技者に連続した期待感が与えられる。即ち、始動口入賞に始まって、複合装置入球、振分球経路の選択、回転振分体による振分け、図柄表示装置Ｇの表示部１４の図柄の表示結果に至る間において、遊技者にとって期待感が連続して維持され、遊技の興趣が高まる。
【００４１】
なお、始動口の数に関しては、前記実施形態のように三個に限られず、複数であって、始動口に対応する振分装置を備えておれば、その数は問われない。また、前記実施形態では、第１及び第２の各振分装置Ｄ1,Ｄ2 を備えているが、第１振分装置Ｄ1 のみを備えた遊技機であっても、本発明に含まれるものである。また、前記実施形態では、複合装置Ａが普通電動役物７を備えているが、普通電動役物を複合装置と別体にしてもよい。さらに、前記実施形態においては、遊技機が権利を発生する複合装置Ａを備えた第３種パチンコ機である場合を例示したが、本発明を、入賞すると可変入球口が連続して開放される特定領域を複合装置内に備える第２種パチンコ機や、その他の遊技機に実施することも可能である。
【００４２】
【発明の効果】
本発明に係る遊技機は、複数の始動口を備えていて、振分装置の可動振分体は複数の始動口のいずれに球が入ったかに応じて球を振り分ける構成であるので、球が複数の始動口のいずれに入るかによって、複合装置の可変入球口への他の球の入球が容易となって振分装置に至るのみならず、この振分装置内における複数の振分球経路のうち球が入った始動口に対応したものが選択される。このため、始動口入球による遊技性が高まって、複合装置への入球のみならず、始動口入球に始まって、複合装置入球、振分球経路の選択、振分結果に至るまでの間において、期待感が連続して維持される結果、遊技の興趣が高まる。
【図面の簡単な説明】
【図１】  本発明に係るパチンコ機の正面図である。
【図２】  図１のＸ−Ｘ線拡大断面図である。
【図３】  球が第１始動口Ｅ1 に入賞して、普通電動役物７の可変入球口７ｂに入った他の球が第１振分球経路Ｐ1 を通過する状態を示す拡大正面図である。
【図４】  球が第２始動口Ｅ2 に入賞して、普通電動役物７の可変入球口７ｂに入った他の球が第２振分球経路Ｐ2 を通過する状態を示す拡大正面図である。
【図５】  球が第３始動口Ｅ3 に入賞して、普通電動役物７の可変入球口７ｂに入った他の球が第３振分球経路Ｐ3 を通過する状態を示す拡大正面図である。
【図６】  本発明に係るパチンコ機における振分球経路を示すブロック線図である。
【符号の説明】
Ａ：複合装置
Ｂ：球
Ｄ1 ：第１振分装置（振分装置）
Ｄ2 ：第２振分装置（別の振分装置）
Ｅ1 ：第１始動口
Ｅ2 ：第２始動口
Ｅ3 ：第３始動口
Ｆ1 ：第１可動振分片（可動振分体）
Ｆ2 ：第２可動振分片（可動振分体）
Ｐ1 ：第１振分球経路（中央の球振分通路）
Ｐ2 ：第２振分球経路（右側の球振分通路）
Ｐ3 ：第３振分球経路（左側の球振分通路）
７ｂ：可変入球口
２８：回転振分体（右側回転振分体）
２９：回転振分体（左側回転振分体）
２９：回転振分体（左側回転振分体）
３２，３３：下流傾斜路
【図１】
0004189790.tif 000002
【図２】
0004189790.tif 000003
【図３】
0004189790.tif 000004
【図４】
0004189790.tif 000005
【図５】
0004189790.tif 000006
【図６】
0004189790.tif 000007